(57)【要約】【課題】画像形成部に画像読取部を開閉可能に設けその画像読取部に原稿カバーを開閉可能に設けた画像読取装置において、ヒンジ部を通って検出信号を送ることなく原稿カバーの開閉を画像形成部で検出すること。【解決手段】図５の状態から原稿カバー４が閉じられると、原稿カバー４の下面に設けられた突起６１は、画像読取部３に設けられた第１アクチュエータ６３の円柱部６３Ａの上端面を画像読取部３の上面よりも下方に押し込む。すると、画像形成部２の第２アクチュエータ７１の他端７１Ｂが押圧され、その第２アクチュエータ７１の動きを制御部９０に設けられた検出回路９１にて検出することができる。【選択図】図５
2014103453.tif 000002
【特許請求の範囲】
【請求項１】
被記録媒体に画像を形成する画像形成部と、
上側には読取対象となる原稿が載置される原稿載置面を備え、当該原稿載置面の下方にはその原稿載置面に載置された原稿の画像を読み取る第１読取部を備え、前記画像形成部に揺動可能に接続されて、前記画像形成部の上面を露出させる開位置と前記上面を覆う閉位置との間で開閉動作する画像読取部と、
前記画像読取部に揺動可能に接続されて、前記原稿載置面を露出させる開位置と前記原稿載置面を覆う閉位置との間で開閉動作する原稿カバーと、
前記画像形成部の上面側に露出した露出部を備え、当該露出部の位置又は動きを検出する検出部と、
前記画像読取部に設けられ、前記画像読取部及び前記原稿カバーがそれぞれ前記閉位置に配設されたとき、前記原稿カバーの下面に設けられた作用部から前記原稿カバーの閉鎖方向に作用する力を、前記画像読取部を通して前記検出部に伝達させる伝達部と、
を備えたことを特徴とする画像読取装置。
【請求項２】
前記伝達部は、前記画像読取部に移動可能に保持され、前記原稿カバーが前記閉位置へ移動する途中で前記作用部に当接して、前記画像形成部方向へ移動する部材であることを特徴とする請求項１に記載の画像読取装置。
【請求項３】
前記作用部は、前記原稿カバーの前記下面から突出しており、
前記伝達部は、前記原稿カバーが前記閉位置へ移動する途中で前記作用部により前記画像読取部の上面よりも下方に押し込まれることによって、前記露出部に押圧力を伝達させ、前記原稿カバーが前記開位置にあるときは前記画像読取部の前記上面と同一平面上に配設されることを特徴とする請求項２に記載の画像読取装置。
【請求項４】
前記作用部は、前記伝達部が前記画像読取部の前記上面よりも下方に押し込まれた後にその周囲の前記画像読取部に係合することを特徴とする請求項３に記載の画像読取装置。
【請求項５】
前記作用部は、前記原稿カバーの前記下面と同一平面上に位置し、
前記伝達部は、前記原稿カバーが前記開位置にあるときは前記画像読取部の前記上面から突出しており、前記原稿カバーが前記閉位置へ移動する途中で前記作用部により前記画像読取部の前記上面まで押し込まれることによって、前記露出部に押圧力を伝達させることを特徴とする請求項２に記載の画像読取装置。
【請求項６】
前記作用部は、前記原稿カバーの前記下面から突出しており、
前記伝達部は、前記作用部が前記画像読取部を貫通して前記露出部を直接押圧するのを許容する穴であることを特徴とする請求項１に記載の画像読取装置。
【請求項７】
前記作用部は、前記原稿カバーの前記下面と同一平面上に位置し、
前記露出部は、前記画像形成部の前記上面から突出しており、
前記伝達部は、前記露出部が前記画像読取部を貫通して前記作用部によって直接押圧されるのを許容する穴であることを特徴とする請求項１に記載の画像読取装置。
【請求項８】
前記画像読取部は、前記画像形成部の前記上面の一辺側に揺動可能に接続され、
前記原稿カバーは、前記画像読取部の前記上面の、前記一辺側と同じ側の一辺側に揺動可能に接続され、
前記作用部は、前記原稿カバーの前記下面の前記一辺よりも当該一辺の反対側の辺に近い側に配設され、
前記露出部は、前記画像形成部の前記上面の、前記一辺よりも当該一辺の反対側の辺に近い側に配設されたことを特徴とする請求項１〜７のいずれか１項に記載の画像読取装置。
【請求項９】
前記原稿カバーの前記下面には、第１白基準板が配置されたことを特徴とする請求項８に記載の画像読取装置。
【請求項１０】
前記原稿カバーに設けられ、前記画像読取部内の所定位置に配置された前記第１読取部による画像の読取が可能な読取位置へ原稿を搬送する原稿搬送部を、
更に備えたことを特徴とする請求項８または９に記載の画像読取装置。
【請求項１１】
前記原稿搬送部は、前記原稿カバーの下面から前記原稿の画像を読取可能な第２読取部を備え、
前記画像読取部の前記上面には、第２白基準板が配置されたことを特徴とする請求項１０に記載の画像読取装置。
【請求項１２】
前記検出部の検出結果に基づいて制御を実行する制御部が、前記画像形成部の内部の、前記一辺よりも前記反対側の辺に近い側に設けられたことを特徴とする請求項８〜１１のいずれか１項に記載の画像読取装置。
【請求項１３】
前記画像形成部の筐体の前記反対側の辺側に設けられ、表示または入力が可能なパネルを、
更に備えたことを特徴とする請求項１２に記載の画像読取装置。
【請求項１４】
前記検出部は、
前記露出部を一端に備え、その露出部が前記原稿カバーの閉鎖方向に押圧されることによって揺動するアクチュエータと、
前記アクチュエータの前記露出部とは異なる位置に設けられた被検出部と、
前記被検出部が前記アクチュエータの揺動に応じて移動したことを検出する検出回路と、
を備えたことを特徴とする請求項１〜１３のいずれか１項に記載の画像読取装置。
【請求項１５】
前記アクチュエータにおける前記露出部と前記被検出部とは、水平方向に隔離した位置に配設され、前記露出部は前記検出回路の鉛直方向上方から外れた位置に配設されたことを特徴とする請求項１４に記載の画像読取装置。
【発明の詳細な説明】
【技術分野】
【０００１】
本発明は、被記録媒体に画像を形成する画像形成部と、原稿載置面に載置された原稿の画像を読み取る読取部を備えた画像読取部と、前記原稿載置面を覆う開閉可能な原稿カバーとを備えた画像読取装置に関する。
【背景技術】
【０００２】
従来、原稿載置面とそこに載置された原稿の画像を読み取る読取部とを備えた画像読取部と、前記原稿載置面を覆う開閉可能な原稿カバーとを備え、原稿カバーが原稿載置面を覆う閉位置に配設されているか否かを検出する画像読取装置がある。例えば、いわゆる白基準板に対する読取部の読取結果に応じてシェーディング補正を実行する場合は、原稿カバーが確実に閉じていることを確認してからでなければ正確なシェーディング補正が実行できない場合がある。そこで、原稿カバーを画像読取部に開閉可能に接続するヒンジ部の近傍に、原稿カバーが閉じられる動作に応じて下降するアクチュエータを設け、そのアクチュエータの動作を光センサ等によって検出することが提案されている（例えば、特許文献１参照。）。
【先行技術文献】
【特許文献】
【０００３】
【特許文献１】特開２０１１−２３９９０号公報
【発明の概要】
【発明が解決しようとする課題】
【０００４】
ところが、前記のような画像読取部は、用紙等の被記録媒体に画像を形成する画像形成部の上方に、その画像形成部の上面に対して開閉可能に設けられる場合がある。そのような場合、画像形成部の側に制御部を設ける場合があり、画像読取部を画像形成部に開閉可能に接続するヒンジ部を通って前記光センサ等の検出信号を画像形成部まで送る必要が生じる。
【０００５】
このように、画像読取部が備えた光センサ等の検出部の検出信号を、ヒンジ部を通って画像形成部まで送る場合、ハーネス等の信号線の配置を考慮する必要がある。そこで、本発明は、画像形成部に画像読取部を開閉可能に設けその画像読取部に原稿カバーを開閉可能に設けた画像読取装置において、ヒンジ部を通って検出信号を送ることなく原稿カバーの開閉を画像形成部で検出することを目的としてなされた。
【課題を解決するための手段】
【０００６】
前記目的を達するためになされた本発明の画像読取装置は、被記録媒体に画像を形成する画像形成部と、上側には読取対象となる原稿が載置される原稿載置面を備え、当該原稿載置面の下方にはその原稿載置面に載置された原稿の画像を読み取る第１読取部を備え、前記画像形成部に揺動可能に接続されて、前記画像形成部の上面を露出させる開位置と前記上面を覆う閉位置との間で開閉動作する画像読取部と、前記画像読取部に揺動可能に接続されて、前記原稿載置面を露出させる開位置と前記原稿載置面を覆う閉位置との間で開閉動作する原稿カバーと、前記画像形成部の上面側に露出した露出部を備え、当該露出部の位置又は動きを検出する検出部と、前記画像読取部に設けられ、前記画像読取部及び前記原稿カバーがそれぞれ前記閉位置に配設されたとき、前記原稿カバーの下面に設けられた作用部から前記原稿カバーの閉鎖方向に作用する力を、前記画像読取部を通して前記検出部に伝達させる伝達部と、を備えたことを特徴としている。
【０００７】
このように構成された本発明の画像読取装置では、検出部は、画像形成部の上面側に露出した露出部の位置又は動きを検出する。ここで、画像読取部には、次のような伝達部が設けられている。すなわち、伝達部は、画像読取部及び原稿カバーが閉位置に配設されたとき、原稿カバーの下面に設けられた作用部からその原稿カバーの閉鎖方向に作用する力を、当該画像読取部を通して前記検出部に伝達させる（例えば、前記露出部に対する押圧力とする）。したがって、本発明では、ヒンジ部を通って検出信号を送らなくても、前記露出部に対し原稿カバーの閉鎖方向に作用する力が伝達されたか否かを検出部を介して検出することができる。したがって、原稿カバーの開閉を画像形成部側で検出することができる。
【０００８】
なお、伝達部の構成としては、種々の形態が考えられるが、一例として次のような構成が考えられる。例えば、前記伝達部は、前記画像読取部に移動可能に保持され、前記原稿カバーが前記閉位置へ移動する途中で前記作用部に当接して、前記画像形成部方向へ移動する部材であってもよい。その場合、作用部から前記閉鎖方向に作用する力が、画像読取部に移動可能に保持された部材（伝達部）を介して、間接的に前記露出部に押圧力として伝達される。したがって、前記画像読取部の上面に液体がこぼされたり前記上面に静電気が加えられたりしても、その液体や静電気が前記検出部に直接到達するのを抑制することができる。
【０００９】
そして、その場合、前記作用部は、前記原稿カバーの前記下面から突出しており、前記伝達部は、前記原稿カバーが前記閉位置へ移動する途中で前記作用部により前記画像読取部の上面よりも下方に押し込まれることによって、前記露出部に押圧力を伝達させ、前記原稿カバーが前記開位置にあるときは前記画像読取部の前記上面と同一平面上に配設されてもよい。その場合、原稿カバーが開位置にあるときの、その画像読取部を利用した操作者による読取作業を容易にすることができる。
【００１０】
そして、更にその場合、前記作用部は、前記伝達部が前記画像読取部の前記上面よりも下方に押し込まれた後にその周囲の前記画像読取部に係合してもよい。その場合、原稿カバーが閉位置に配設されると、作用部がその周囲の画像読取部に係合して原稿カバーを水平方向に位置決めするので、第１読取部による読取中に原稿カバー及び原稿の位置がずれるのを抑制することができる。
【００１１】
また、前述のように伝達部が画像読取部に移動可能に保持された部材である場合において、前記作用部は、前記原稿カバーの前記下面と同一平面上に位置し、前記伝達部は、前記原稿カバーが前記開位置にあるときは前記画像読取部の前記上面から突出しており、前記原稿カバーが前記閉位置へ移動する途中で前記作用部により前記画像読取部の前記上面まで押し込まれることによって、前記露出部に押圧力を伝達させてもよい。その場合、原稿カバーが閉位置にあるときの画像読取部上面の平面度を向上させることができ、原稿載置面からはみ出すような原稿の読取を容易にすることができる。
【００１２】
また、前記作用部は、前記原稿カバーの前記下面から突出しており、前記伝達部は、前記作用部が前記画像読取部を貫通して前記露出部を直接押圧するのを許容する穴であってもよい。その場合、画像読取部には伝達部としての穴を設けるだけでよいので、装置の構成を簡略化することができる。
【００１３】
また、前記作用部は、前記原稿カバーの前記下面と同一平面上に位置し、前記露出部は、前記画像形成部の前記上面から突出しており、前記伝達部は、前記露出部が前記画像読取部を貫通して前記作用部によって直接押圧されるのを許容する穴であってもよい。その場合も、画像読取部には伝達部としての穴を設けるだけでよいので、装置の構成を簡略化することができる。
【００１４】
また、本発明において、前記画像読取部は、前記画像形成部の前記上面の一辺側に揺動可能に接続され、前記原稿カバーは、前記画像読取部の前記上面の、前記一辺側と同じ側の一辺側に揺動可能に接続され、前記作用部は、前記原稿カバーの前記下面の前記一辺よりも当該一辺の反対側の辺に近い側に配設され、前記露出部は、前記画像形成部の前記上面の、前記一辺よりも当該一辺の反対側の辺に近い側に配設されてもよい。
【００１５】
この場合、画像読取部の開閉も、原稿カバーの開閉も、前記一辺側を揺動の中心としてなされる。これに対して、作用部及び露出部は、前記一辺の反対側の辺に近い側に配設されているので、前記原稿カバーの開閉を一層正確に検出することができる。
【００１６】
そして、その場合、前記原稿カバーの前記下面には、第１白基準板が配置されてもよい。その場合、第１読取部によるシェーディング補正時に原稿カバーが正確に閉位置に配設されていないと、外光の影響が及んで正確なシェーディング補正ができない場合がある。これに対して、前述のように原稿カバーの開閉を正確に検出できる場合、シェーディング補正を一層正確に実行することができる。
【００１７】
また、作用部及び露出部が前記反対側の辺に近い側に配設されている場合において、前記原稿カバーに設けられ、前記画像読取部内の所定位置に配置された前記第１読取部による画像の読取が可能な読取位置へ原稿を搬送する原稿搬送部を、更に備えてもよい。その場合、原稿カバーが正確に閉位置に配設されていないと、前記原稿搬送部による原稿の搬送が良好にできない場合がある。これに対して、前述のように原稿カバーの開閉を正確に検出できる場合、原稿搬送部による原稿の搬送を良好に実行することができる。
【００１８】
そして、その場合、前記原稿搬送部は、前記原稿カバーの下面から前記原稿の画像を読取可能な第２読取部を備え、前記画像読取部の前記上面には、第２白基準板が配置されてもよい。その場合、シェーディング補正時に原稿カバーが正確に閉位置に配設されていないと、外光の影響が及んで正確なシェーディング補正ができない場合がある。これに対して、前述のように原稿カバーの開閉を正確に検出できる場合、シェーディング補正を一層正確に実行することができる。
【００１９】
また、作用部及び露出部が前記反対側の辺に近い側に配設されている場合において、前記検出部の検出結果に基づいて制御を実行する制御部が、前記画像形成部の内部の、前記一辺よりも前記反対側の辺に近い側に設けられてもよい。その場合、前記検出部とその検出結果に基づいた制御を実行する制御部とが容易に近接配置できるので、装置内の配線が複雑化するのを抑制することができる。
【００２０】
そして、その場合、前記画像形成部の筐体の前記反対側の辺側に設けられ、表示または入力が可能なパネルを、更に備えてもよい。その場合、前記制御部と表示または入力が可能なパネルとが近接配置されるので、装置内の配線が複雑化するのを一層良好に抑制することができる。
【００２１】
また、本発明において、前記検出部は、前記露出部を一端に備え、その露出部が前記原稿カバーの閉鎖方向に押圧されることによって揺動するアクチュエータと、前記アクチュエータの前記露出部とは異なる位置に設けられた被検出部と、前記被検出部が前記アクチュエータの揺動に応じて移動したことを検出する検出回路と、を備えたものであってもよい。その場合、露出部と検出回路とを離れた位置に配設することが可能となり、設計の自由度を向上させることができる。
【００２２】
そして、その場合、前記アクチュエータにおける前記露出部と前記被検出部とは、水平方向に隔離した位置に配設され、前記露出部は前記検出回路の鉛直方向上方から外れた位置に配設されてもよい。その場合、露出部の上方から液体がこぼされても、その液体が検出回路に直接到達するのを抑制することができる。
【図面の簡単な説明】
【００２３】
【図１】第１実施形態の複合機を表す斜視図で、（Ａ）は原稿カバー閉鎖時、（Ｂ）は原稿カバー開放時である。
【図２】画像読取部開放時の前記複合機を２つの異なる角度から示す斜視図である。
【図３】前記画像読取部の原稿搬送部使用時の外観を表す斜視図である。
【図４】その画像読取部の構成を表す中央断面図である。
【図５】その画像読取部開放時の前記複合機の構成を表すＡ−Ａ線断面図（Ａ）及びＢ部拡大図（Ｂ）である。
【図６】その画像読取部閉鎖時の前記複合機の構成を表すＡ−Ａ線断面図（Ａ）及びＣ部拡大図（Ｂ）である。
【図７】第２実施形態の複合機の画像読取部開放時（Ａ）、閉鎖時（Ｂ）の構成を表す要部断面図である。
【図８】第３実施形態の複合機の画像読取部開放時（Ａ）、閉鎖時（Ｂ）の構成を表す要部断面図である。
【図９】第４実施形態の複合機の要部を模式的に表す説明図である。
【発明を実施するための形態】
【００２４】
次に、本発明の実施形態について一例を挙げて説明する。本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係をわかりやすくするため、図中に併記した上下左右前後の各方向を利用して説明をする。
【００２５】
［第１実施形態の複合機の構造］
図１（Ａ）に示すように、複合機１は、画像形成部２と、画像形成部２の上側に搭載された画像読取部３と、画像読取部３の上側に搭載された原稿カバー４とを備えている。図１（Ｂ）に示すように、原稿カバー４は、ヒンジ部１０（図５（Ａ）参照）によって画像読取部３の上面における後側の辺を中心に揺動可能に構成されている。そして、原稿カバー４は、図１（Ａ）に示す閉位置と図１（Ｂ）に示す開位置との間で開閉動作する。また、図２に示すように、画像読取部３は画像形成部２の上面における後側の辺を中心に揺動可能に構成されている。そして、画像読取部３は、図１（Ａ）に示すように画像形成部２の上面を覆う閉位置と、図２に示すように画像形成部２の上面を露出させる開位置との間で開閉動作する。
【００２６】
画像形成部２は、図示省略したプリンタエンジン及び後述の制御部９０（図５参照）等を内蔵しており、画像形成部２、画像読取部３、及び原稿カバー４に配設された各種機構は、画像形成部２が備える制御部９０によって制御される。
【００２７】
原稿カバー４を開位置へ変位させると、図１（Ｂ）に示すように画像読取部３の上面にある原稿載置面（後述する透明部２５の上面）が露出する。また、図１（Ａ）に示すように、原稿カバー４を閉位置配設すると、原稿カバー４は、原稿載置面を覆う。
【００２８】
画像形成部２の前部上側には、操作者によって操作される操作パネル７（パネルの一例）が設けられている。また、画像形成部２において、操作パネル７の下方には、印刷後の被記録媒体を排出する排出口８が形成され、更にその下方には、印刷前の被記録媒体が収納される給紙カセット９などが装着されている。
【００２９】
原稿カバー４の上面には、図１（Ａ）及び図３に示すように、開閉式の上面カバー１１が設けられている。この上面カバー１１は、上面カバー１１の右端付近において前後方向へと延びる軸線を中心に、原稿カバー４に対して揺動可能に構成されている。上面カバー１１が閉位置にあるときには、図１（Ａ）に示すように下方に向けられていた上面カバー１１の裏面側は、図３に示すように上面カバー１１を開位置へ変位させた際に、斜め上方に向けられる。すると、原稿カバー４の上面には、原稿台１２が露出する。
【００３０】
原稿台１２上には、原稿を前後方向から挟むことによって左右方向に案内する一対の原稿ガイド１３が設けられている。この原稿ガイド１３は、双方とも前後方向へスライド可能で、しかも、一方に連動して他方が前記一方とは逆方向へスライドする仕組みになっている。そのため、一対の原稿ガイド１３の間隔を変更する際には、一方を操作するだけで、双方を互いに接近又は離間する方向へスライドさせることができる。
【００３１】
また、原稿ガイド１３の上端には、仕切板１５が設けられている。搬送対象となる原稿は、この仕切板１５の下方にセットされる。また、後述する搬送経路に沿って原稿が搬送された場合、搬送済みの原稿は、仕切板１５の上方に排出される。
【００３２】
［画像読取部及び原稿カバーの詳細］
図４は、画像読取部３及び原稿カバー４を閉位置に配設し、上面カバー１１を開位置に配設した状態における、画像読取部３及び原稿カバー４の構成を表す中央断面図である。図４に示すように、画像読取部３には、第１イメージセンサ２１（第１読取部の一例）が設けられ、原稿カバー４には、第２イメージセンサ２２（第２読取部の一例）が設けられている。本実施形態において、第１イメージセンサ２１及び第２イメージセンサ２２としては、双方とも密着イメージセンサ（Contact Image Sensor）が採用されている。
【００３３】
第１イメージセンサ２１は、図示省略したモータによって駆動されて、画像読取部３の内部を左右方向（副走査方向）へ往復移動する構造とされている。また、第２イメージセンサ２２は、原稿カバー４内のフレームに取り付けられている。
【００３４】
また、画像読取部３側には、第１イメージセンサ２１の往復移動経路の上方となる位置に、透明部２５及び第１透明部２７が設けられている。また、原稿カバー４側には、第２イメージセンサ２２の下方となる位置に、第２透明部２８が設けられている。
【００３５】
透明部２５及び第１透明部２７は、双方とも画像読取部３の上面をなす位置にあり、本実施形態においては、これら透明部２５及び第１透明部２７が、単一のガラス板を利用して構成されている。また、第２透明部２８は、本実施形態においては、透明部２５及び第１透明部２７とは別のガラス板を利用して構成されている（図１（Ｂ）参照）。
【００３６】
また、図１（Ｂ）に示すように、原稿カバー４における第１透明部２７との対向位置には、第１イメージセンサ２１に係るシェーディング補正等の補正を行うための第１白基準板３１が設けられている。更に、画像読取部３における第２透明部２８との対向位置には、第２イメージセンサ２２に係るシェーディング補正等の補正を行うための第２白基準板３２が設けられている。
【００３７】
なお、透明部２５及び第１透明部２７は、それぞれが別のガラス板を利用して構成されていてもよい。また、透明部２５、第１透明部２７、及び第２透明部２８の材質は、第１イメージセンサ２１及び第２イメージセンサ２２による原稿の読み取りが可能な透明な材質であれば、ガラス以外の材質であってもよい。
【００３８】
また、原稿カバー４には、図４に示すように、供給ローラ４１、分離ローラ４２、搬送ローラ４３、Ｕターン搬送ローラ４４などのローラ群（原稿搬送部の一例）が設けられ、これらのローラ間には原稿を適正な搬送方向へ案内するためのガイド面を提供する部材も配置されている。そのようなガイド面を提供する部材の一つとして、Ｕターン搬送ローラ４４の左方には、可動式の経路切替部材４５が設けられている。
【００３９】
経路切替部材４５は、経路切替部材４５の下端側において前後方向へと延びる軸線を回動中心として、原稿カバー４に対し回動可能な構造とされている。また、Ｕターン搬送ローラ４４の左方の原稿カバー４外面には、開閉可能なカバー部材４６が設けられている。
【００４０】
以上のように構成された複合機１では、原稿カバー４を利用して原稿を搬送しながら、次のようにその原稿の画像を読み取ることができる。すなわち、原稿カバー４が備えるローラ群が作動されると、供給ローラ４１によって搬送方向上流側から供給される原稿は、分離ローラ４２によって１枚ずつに分離されつつ、更に搬送方向下流側へと搬送される。
【００４１】
そして、搬送ローラ４３により、原稿が搬送方向下流側へと搬送されて、第１透明部２７を挟んで第１イメージセンサ２１と対向する第１読取位置を通過する。続いて、原稿は、第２透明部２８を挟んで第２イメージセンサ２２と対向する第２読取位置を通過し、Ｕターンローラ４４によって更に搬送される。
【００４２】
このとき、経路切替部材４５及びカバー部材４６が図４に示す位置にあれば、原稿は経路切替部材４５を介して折り返され、仕切板１５の上方に排出される。一方、経路切替部材４５及びカバー部材４６が図４に示す位置から図４における反時計回りに揺動していれば、原稿は原稿カバー４の左方へいわゆるストレート排紙される。このようなストレート排紙は、原稿が例えば名刺等の厚紙である場合に利用される。なお、図１，図２では、カバー部材４６の図示を省略している。
【００４３】
また、このように原稿が搬送される間に、片面読取が指定されている場合は、例えば第１イメージセンサ２１によって前記第１読取位置を通過する原稿の画像が読み取られる。一方、両面読取が指定されている場合は、第１イメージセンサ２１によって前記第１読取位置を通過する原稿の画像を読み取る動作と、第２イメージセンサ２２によって前記第２読取位置を通過する原稿の画像を読み取る動作とが、並行して実行される。
【００４４】
［開閉状態検出機構］
ここで、前述したＵターンローラ４４等のローラ群による原稿の搬送や、第１白基準板３１，第２白基準板３２を用いたシェーディング補正は、画像読取部３及び原稿カバー４がいずれも確実に閉位置に配設されていないと、良好に実行しにくい。そこで、本実施形態では、次のような開閉状態検出機構を用いて、画像読取部３及び原稿カバー４の開閉状態を検出している。
【００４５】
図１（Ｂ）及び図５（Ａ）に示すように、原稿カバー４の下面の前端左端には、円柱状の突起６１（作用部の一例）が突設されている。また、画像読取部３の上面の前記突起６１と対向する部分には、第１アクチュエータ６３（伝達部の一例）が設けられている。なお、図５（Ａ）は、図１（Ｂ）のＡ−Ａ線に沿った断面を、図１（Ｂ）に示す原稿カバー４の状態よりも原稿カバー４が閉じられた状態について表している。
【００４６】
図５（Ａ）のＢ部拡大図としての図５（Ｂ）に示すように、第１アクチュエータ６３の円柱部６３Ａは、突起６１と対向する円柱状に構成され、画像読取部３の上面に形成された穴部６５から露出している。第１アクチュエータ６３は、バネ６７によって上方に付勢されている。円柱部６３Ａの前側に一体に設けられた角柱状の動作片６３Ｂの上端が画像読取部３の上面を構成する筐体に下方から当接する。これによって、画像読取部３が閉位置にあり、かつ、原稿カバー４が開位置にある場合、円柱部６３Ａの上端面は、画像読取部３の上面と同一平面上に配設される。
【００４７】
このため、画像読取部３が閉位置に配設された後に原稿カバー４が閉位置に配設されると、その移動の途中で、突起６１が円柱部６３Ａの上端に当接する。そして、原稿カバー４が閉位置に配設されると、図６（Ａ），（Ｂ）に示すように、突起６１は第１アクチュエータ６３の円柱部６３Ａの上端面を画像読取部３の上面よりも下方に押し込む。動作片６３Ｂの下方には、画像形成部２の内部に、一端が軸７１Ａを中心に揺動可能に支持されたレバー状の第２アクチュエータ７１（アクチュエータの一例）が設けられている。第２アクチュエータ７１の他端７１Ｂ（露出部の一例）は、動作片６３Ｂの下方に露出しており、前述のように円柱部６３Ａが押し込まれると他端７１Ｂが下方に押し下げられる。本実施形態では、この第２アクチュエータ７１の揺動状態を検出回路９１を介して検出することにより、原稿カバー４の開閉状態を検出している。
【００４８】
すなわち、図２（Ｂ）及び図６（Ｂ）に示すように、画像形成部２の上面の前端に寄った位置には、穴７３，８３が設けられており、そのうちの穴７３の下方に、第２アクチュエータ７１の他端７１Ｂが露出している。なお、穴７３に隣接配置された穴８３とそれに対向して画像読取部３から突出した動作片８１（図２（Ａ）参照）とは、カバー部材４６の開閉状態を検出するためのものであるが、本発明とは直接関係がないので、説明を割愛する。
【００４９】
図５（Ｂ），図６（Ｂ）に示すように、制御部９０は、画像形成部２の後端よりも前端に近い側に配設されたプリント配線基板によって構成されている。検出回路９１は、制御部９０の表面に実装された光センサ等によって構成されており、第２アクチュエータ７１の軸７１Ａよりも前よりの部分（被検出部に相当）の位置を検出する。なお、検出回路９１は、接点式のリミットスイッチであってもよく、ホール素子等を利用したものであってもよい。
【００５０】
このように、本実施形態では、原稿カバー４の下面に設けられた突起６１から原稿カバー４の閉鎖方向に作用する力を、第１アクチュエータ６３によって画像読取部３を通して伝達させることにより、画像形成部２の第２アクチュエータ７１の他端７１Ｂを押圧している。したがって、ヒンジ部１０を通ってハーネス等を配設して信号を送らなくても、原稿カバー４の開閉を画像形成部２の側で検出することができる。しかも、本実施形態では、原稿カバー４が開位置にあるときは円柱部６３Ａの上端面が画像読取部３の上面と同一平面上に配設される。このため、原稿カバー４が開位置にあるときの画像読取部３上面の平面度を向上させることができ、その画像読取部３を利用した操作者による読取作業を容易にすることができる。また、原稿カバー４が閉位置にあるときは突起６１が穴部６５に係合するので、原稿カバーを４水平方向に位置決めして、原稿載置面に載置された原稿や原稿カバー４の位置が読取中にずれるのを抑制することができる。
【００５１】
また、突起６１，第１アクチュエータ６３，第２アクチュエータ７１の他端７１Ｂは、いずれも、ヒンジ部１０とは反対側の装置前端に近い側に配設されている。このため、本実施形態では、画像読取部３及び原稿カバー４がいずれも確実に閉位置に配設されていることが良好に検出できる。したがって、前述したＵターンローラ４４等のローラ群による原稿の搬送や、第１白基準板３１，第２白基準板３２を用いたシェーディング補正を、良好に実行することができる。更に、操作パネル７，検出回路９１，制御部９０等も装置前端に近い側に配設されているので、前記開閉状態の検出処理を制御部９０で実行したり、その処理結果を使用した表示等を操作パネル７に対して実行するための配線も、極めて簡略化することができる。
【００５２】
更に、本実施形態のように、第２アクチュエータ７１の検出回路９１による被検出部が他端７１Ｂと水平方向に離れた位置に配設されている場合、設計の自由度を向上させることができるのみならず、他端７１Ｂの上方から液体がこぼされても、その液体が検出回路９１に直接到達するのを抑制することができる。
【００５３】
［第２実施形態の複合機の開閉状態検出機構］
図７は、第２実施形態の複合機の開閉状態検出機構を表しており、（Ａ）は原稿カバー４が閉位置にある状態を、（Ｂ）は原稿カバー４が開位置にある状態を、それぞれ表している。図７に示すように、本実施形態では、円柱部１６３Ａと動作片１６３Ｂの大きさのバランスを第１アクチュエータ６３とは異ならせた第１アクチュエータ１６３を使用している。すなわち、画像読取部３が閉位置にあり、かつ、原稿カバー４が開位置にある場合、図７（Ｂ）に示すように、動作片１６３Ｂの上端が画像読取部３の上面を構成する筐体に下方から当接し、円柱部１６３Ａの上部は、画像読取部３の上面から上方に突出する。
【００５４】
原稿カバー４の下面には、突起６１の代わりに、前記下面と同一平面上に位置する作用部１６１が設けられており、原稿カバー４の閉鎖時には、この作用部１６１が円柱部１６３Ａを画像読取部３の上面まで押し込む。すると、図７（Ａ）に示すように、動作片１６３Ｂの下端が、第１実施形態と同様に構成された第２アクチュエータ７１の他端７１Ｂを押圧する。本実施形態では、原稿カバー４が閉位置にあるときの画像読取部３上面の平面度を向上させることができ、原稿載置面からはみ出すような原稿の読取を容易にすることができる。
【００５５】
また、第１，第２実施形態のように、画像読取部３に設けられた第１アクチュエータ６３又は１６３を介して画像形成部２に原稿カバー４の動作が間接的に伝達される場合、次のような効果が生じる。すなわち、画像読取部３の上面に液体がこぼされたり前記上面に静電気が加えられたりしても、その液体や静電気が画像形成部２に直接到達するのを抑制
することができる。
【００５６】
［第３実施形態の複合機の開閉状態検出機構］
図８は、第３実施形態の複合機の開閉状態検出機構を表しており、（Ａ）は原稿カバー４が閉位置にある状態を、（Ｂ）は原稿カバー４が開位置にある状態を、それぞれ表している。図８に示すように、本実施形態では、穴６５（伝達部の一例）が画像読取部３を貫通しており、画像形成部２に設けられたアクチュエータ２６３が、その穴６５を通って画像読取部３の上面に突出している。
【００５７】
アクチュエータ２６３は、穴６５を通って画像読取部３の上面に上端が突出する円柱部２６３Ａ（露出部の一例）と、その円柱部２６３Ａの下端に同軸状に連接され、制御部９０に設けられた検出回路２９１と対向する軸部２６３Ｂとを備えている。アクチュエータ２６３は、円柱部２６３Ａの下端が大径に構成され、その部分がバネ６７により上方に付勢されている。バネ６７及び円柱部２６３Ａの下端は、画像形成部２の上面に取り付けられた筒状の支持部２８０の中空部に配設され、円柱部２６３Ａの上端は、支持部２８０の上面に円柱部２６３Ａの下端よりも小径に開口した開口部を介して上方に突出している。
【００５８】
本実施形態では、原稿カバー４が開位置にあり、画像読取部３が閉位置にある状態では、図８（Ｂ）に示すように、支持部２８０が穴６５を通って画像読取部３の内部まで侵入し、円柱部２６３Ａの上端は画像読取部３の上面に突出する。
【００５９】
原稿カバー４の下面には、第２実施形態と同様の作用部１６１が設けられており、原稿カバー４の閉鎖時には、この作用部１６１が円柱部２６３Ａを画像読取部３の上面まで押し込む。すると、図８（Ａ）に示すように、アクチュエータ２６３の軸部２６３Ｂが検出回路２９１に挿入される。検出回路２９１は、軸部２６３Ｂが挿入されたことに基づいて、原稿カバー４が閉位置に配設されたことを検出する。
【００６０】
本実施形態でも、第２実施形態と同様に、原稿カバー４が閉位置にあるときの画像読取部３上面の平面度を向上させることができ、原稿載置面からはみ出すような原稿の読取を容易にすることができる。また、本実施形態では、伝達部としては画像読取部３に穴６５を設けるだけでよいので、装置の構成を簡略化することができる。
【００６１】
［本発明の他の実施形態］
なお、本発明は前記実施形態に何ら限定されるものではなく、本発明の要旨を逸脱しない範囲で種々の形態で実施することができる。例えば、第３実施形態のように伝達部として穴６５を設けた場合、原稿カバー４の下面に、当該原稿カバー４の閉鎖時には穴６５を貫通して検出回路２９１まで達する突起を設けてもよい。
【００６２】
更に、伝達部の構成としては、前記各種形態以外にも種々の形態が考えられる。例えば、原稿カバー４に設けられた突起に押圧されることによって画像読取部３の内部で水平な軸回りに回動する構成も考えることができる。その場合、例えば、原稿カバー４の閉鎖時に第２アクチュエータ７１の他端７１Ｂを引っ張り上げるような構成も可能である。
【００６３】
より具体的には、図９に模式的に示す第４実施形態のような構成が、一例として考えられる。本実施形態の伝達部は、画像読取部３の内部に、左右方向に延びる軸３６３Ｃを中心に揺動する棒状の第１アクチュエータ３６３を備えている。第１アクチュエータ３６３の一端３６３Ａは、圧縮バネ３６９によって下方に付勢されており、画像読取部３が閉位置に、原稿カバー４が開位置に、それぞれ配設された状態では、図９に示すように第２アクチュエータ７１の他端７１Ｂを押圧する。その状態から、原稿カバー４が閉位置に移動され、第１実施形態と同様の突起６１が第１アクチュエータ３６３の他端３６３Ｂを押圧すると、一端３６３Ａが上昇し、第２アクチュエータ７１の他端７１Ｂも上昇する。この場合、原稿カバー４の開閉に応じて発せられる検出回路９１の検出信号は、第１実施形態とは逆になる。
【００６４】
また、伝達部は永久磁石の反発力を利用してもよい。例えば、第２実施形態の作用部１６１と第１実施形態の第１アクチュエータ１６３とを組合せ、両者の対向部を同極性の永久磁石で構成しても、第１，第２実施形態と同様の効果が生じる。また更に、前記各実施形態では、画像読取部３と原稿カバー４の開閉方向（すなわち、ヒンジ部の配設位置）を同じ側としたが、本発明は、両者が異なる装置にも同様に適用することができる。
【符号の説明】
【００６５】
１…複合機                  ２…画像形成部              ３…画像読取部
４…原稿カバー              ７…操作パネル              １０…ヒンジ部
１０…ヒンジ                ２１…第１イメージセンサ    ２２…第２イメージセンサ
２５…透明部                ３１…第１白基準板          ３２…第２白基準板
４１…供給ローラ            ４２…分離ローラ            ４３…搬送ローラ
４４…Ｕターン搬送ローラ    ４４…Ｕターンローラ    ６１…突起
６３，１６３，３６３…第１アクチュエータ    ６３Ａ，１６３Ａ，２６３Ａ…円柱部
６３Ｂ，１６３Ｂ…動作片    ７１…第２アクチュエータ    ９０…制御部
９１，２９１…検出回路      １６１…作用部              ２６３…アクチュエータ
【図１】
2014103453.tif 000003
【図２】
2014103453.tif 000004
【図３】
2014103453.tif 000005
【図４】
2014103453.tif 000006
【図５】
2014103453.tif 000007
【図６】
2014103453.tif 000008
【図７】
2014103453.tif 000009
【図８】
2014103453.tif 000010
【図９】
2014103453.tif 000011